(57)【要約】【課題】  複数の通信方式を用いた通信が可能な通信装置の通信開始方法、及びその制御プログラムを記録した記録媒体において、使用者における煩雑な操作を招くことなく、適切な通信方式によってダイヤル発信を行うことができるようにする。【解決手段】  操作部８によってメモリ番号が入力されると共に発信指示が行われたとき、主制御部１１がそのメモリ番号に対応する通信方式を記憶部１０から読み出すると共に、その読み出された通信方式に対応する第１無線部２又は第２無線部４の何れか一方を選択し、その選択した第１無線部２又は第２無線部４を制御して所定の通信プロトコルに従って第１無線基地局Ｂ又は第２無線基地局Ｃとの無線接続を開始させると共に、メモリ番号に基づき記憶部１０から読み出された電話番号データに基づいてダイヤル発信を行う。【選択図】        図１
2005057759.tif 000002
【特許請求の範囲】
【請求項１】
複数の通信方式を用いた通信が可能な通信装置の通信開始方法において、電話番号と複数の通信方式とを対として記憶させる一方、電話番号が選択されたとき、当該選択された電話番号に対応して記憶された複数の通信方式の何れかを用いて通信を開始させ、選択された電話番号に対応する通信方式が記憶されていないとき、通信方式の選択を要求すると共に、当該要求に応答して選択された通信方式を用いて通信を開始させることを特徴とする通信装置の通信開始方法。
【請求項２】
複数の通信方式を用いた通信が可能な通信装置に、請求項１に記載の通信開始方法を実行させる制御プログラムを記録したことを特徴とする記録媒体。
【発明の詳細な説明】
【技術分野】
【０００１】
本発明は、複数の通信方式を用いた通信が可能な通信装置の通信開始方法、及びその制御プログラムを記録した記録媒体に関する。
【背景技術】
【０００２】
従来より、複数の通信方式を用いた通信が可能な通信装置としては、例えば、特開平１０−９８４２８号公報に示されるように、ダイヤル発信時において、予め設定された優先モードに基づく通信方式を用いて通信を開始するようにしたものや、ダイヤル発信する直前に通信方式を手動により選択するようにしたものが提案されていた。
【特許文献１】特開平１０−９８４２８号公報
【発明の開示】
【発明が解決しようとする課題】
【０００３】
ところが、上記従来装置のように、ダイヤル発信時において、予め設定された優先モードに基づく通信方式を用いて通信を開始するようにしたものでは、例えば、事業所内に設置されたローカルな移動体通信網と公衆の移動体通信網の両方に登録し、どちらにも発信を可能とした場合において、優先モードして公衆の移動体通信網を設定したときには、事業所内のローカルな電話番号（内線番号）を用いて発信しようとして公衆の移動体通信網（外線）に発信してしまったり、逆に優先モードとしてローカルな移動体通信網を設定したときには、公衆の電話番号（外線番号）を用いて発信しようとしてローカルの移動体通信網（内線）に発信してしまうといった誤発信を招くといった問題点があり、又ダイヤル発信する直前に通信方式を手動により選択するようにしたものでは、発信の度に手動による選択操作が必要となるため、使用者において煩わしい操作が必要となるといった問題点があった。
【０００４】
本発明は、使用者における煩雑な操作を招くことなく、適切な通信方式によってダイヤル発信を行うことができる通信装置の通信開始方法、及びその制御プログラムを記録した記録媒体を提供することを目的とするものである。
【課題を解決するための手段】
【０００５】
上記目的を達成するために、請求項１記載の発明は、複数の通信方式を用いた通信が可能な通信装置の通信開始方法において、電話番号と複数の通信方式とを対として記憶させる一方、電話番号が選択されたとき、当該選択された電話番号に対応して記憶された複数の通信方式の何れかを用いて通信を開始させ、選択された電話番号に対応する通信方式が記憶されていないとき、通信方式の選択を要求すると共に、当該要求に応答して選択された通信方式を用いて通信を開始させるものである。
【０００６】
請求項２記載の発明は、複数の通信方式を用いた通信が可能な通信装置に、請求項１に記載の発明の通信開始方法を実行させる制御プログラムを記録媒体に記録したものである。
【０００７】
従って、請求項１記載の発明によれば、電話番号が選択されたとき、その選択された電話番号に対応して記憶された複数の通信方式の何れかを用いて通信を開始させることにより、選択された電話番号に適応した通信方式によって通信を開始することができ、その選択された電話番号に対応する通信方式が記憶されていない場合に、通信方式の選択を要求すると共に、その要求に応答して選択された通信方式を用いて通信を開始させることにより、通信方式を特定したくない電話番号についてダイヤル発信の直前に通信方式を手動選択させ、その選択された通信方式によって通信を開始することができる。
【０００８】
請求項２記載の発明によれば、記録媒体に記録された制御プログラムに基づいて通信装置が、電話番号が選択されたとき、その選択された電話番号に対応して記憶された複数の通信方式の何れかを用いて通信を開始させることにより、複数の通信方式によって通信が可能な通信装置において、選択された電話番号に適応した通信方式によって通信を開始させることができ、その選択された電話番号に対応する通信方式が記憶されていない場合に、通信方式の選択を要求すると共に、その要求に応答して選択された通信方式を用いて通信を開始させることにより、通信方式を特定したくない電話番号についてダイヤル発信の直前に通信方式を手動選択させ、その選択された通信方式によって通信を開始することができる。
【発明の効果】
【０００９】
以上のように、請求項１又は請求項２記載の発明によれば、電話番号が選択されたとき、その選択された電話番号に対応して記憶された複数の通信方式の何れかを用いて通信を開始させることにより、選択された電話番号に適応した通信方式によって通信を開始することができるため、例えば、事業所内に設置されたローカルな移動体通信網と公衆の移動体通信網の両方に登録し、どちらにも発信を可能とした場合であっても、事業所内のローカルな電話番号（内線番号）を用いて発信しようとして公衆の移動体通信網（外線）に発信してしまったり、逆に公衆の電話番号（外線番号）を用いて発信しようとしてローカルの移動体通信網（内線）に発信してしまうといった誤発信を防止することができると共に、発信の度に手動による選択操作が不必要となるため、使用者における煩雑な操作を招くことなく、適切な通信方式によってダイヤル発信を行うことができる。その上、電話番号が選択されたとき、その選択された電話番号に対応する通信方式が記憶されていない場合に、通信方式の選択を要求すると共に、その要求に応答して選択された通信方式を用いて通信を開始させることにより、通信方式を特定したくない電話番号についてダイヤル発信の直前に通信方式を手動選択させ、その選択された通信方式によって通信を開始することができるため、使用者における使い勝手をより一層向上することができる。
【発明を実施するための最良の形態】
【００１０】
以下、本発明の実施の形態を図面を参照して詳細に説明する。
【００１１】
図１は本発明の通信開始方法を実行する通信装置の一実施の形態である携帯電話機の電気的構成を示すブロック図、図２は同携帯電話機における電話帳のデータ構成を示す説明図であり、（ａ）は一例を（ｂ）は他の例をそれぞれ示す。図３は同携帯電話機における通信開始時の動作制御の一例を示すフローチャート、図４は同携帯電話機における通信開始時の動作制御の他の例を示すフローチャートである。
【００１２】
以下、本発明の一実施の形態である携帯電話機を図１乃至図４に基づいて説明する。
【００１３】
図１において、１はアンテナ、２はアンテナ１を介して第１無線基地局Ｂ（公衆ＰＨＳサービス）と信号の送受信を行う第１無線部、３はアンテナ、４はアンテナ３を介して第２無線基地局Ｃ（事業所内サービス）と信号の送受信を行う第２無線部、５は第１無線部２又は第２無線部４によって送受信される信号に所定の信号処理を施して音声信号の変復調を行う通話制御部、６は外部音声を集音し音声信号として通話制御部５に供給するマイク、７は通話制御部５から供給された音声信号を音声として外部に放音するスピーカである。
【００１４】
８は電話番号の入力／選択及び通信方式の選択等を行う操作部、９は操作部８によって入力又は選択された電話番号や通信方式や各種状態を表示する表示部、１０は操作部８によって入力又は選択された電話番号や通信方式に基づいて作成された電話帳データを記憶する記憶部である。
【００１５】
１３は第１無線部２及び第２無線部４からの制御信号や操作部８からの各種指示データ及び記憶部１０から読み出されたデータに基づいて第１無線部２及び第２無線部４における無線接続制御や通話制御部５における通話制御や表示部９における表示制御及び記憶部１０におけるデータ書込／読出制御等を行う主制御部であり、制御プログラムを格納するＲＯＭや、処理データを格納するＲＡＭや、ＲＯＭに格納された制御プログラムやＲＡＭに格納された処理データに基づいて動作制御を実行するＣＰＵ等によって構成されている。
【００１６】
そして、これらアンテナ１、第１無線部２、アンテナ３、第２無線部４、通話制御部５、マイク６、スピーカ７、操作部８、表示部９、記憶部１０及び主制御部１１によって携帯電話機Ａが構成されており、この携帯電話機Ａは第１無線基地局Ｂ又は第２無線基地局Ｃを介して相手側通信装置との通信が可能となっている。
【００１７】
以下、上記のように構成された携帯電話機Ａについて、まず、通信開始時の動作の一例を図２（ａ）に示す説明図、及び図３に示すフローチャートに基づいて説明する。
【００１８】
使用者による操作部８を用いた入力操作によって、図２（ａ）に示すように、メモリ番号と電話番号と通信方式とが対になる電話帳データが記憶部１０に記憶されている状態において、使用者による操作部８を用いた入力操作によってメモリ番号又は電話番号が入力されると共に発信指示が行われると（ステップＳ１）、主制御部１１は操作部８によって入力されたメモリ番号又は電話番号に対応する通信方式が記憶部１０に記憶されているか否か判断し（ステップＳ２）、記憶されていないと判断された場合において表示部９を制御して通信方式の選択を要求するメッセージを表示させる等して通信方式を選択させる（ステップＳ３）。
【００１９】
そして、主制御部１１は手動選択された通信方式又は記憶部１０に記憶されていた通信方式を認識し（ステップＳ４）、公衆ＰＨＳサービスであると認識された場合には、第１無線部２を選択し（ステップＳ５）、又事業所内サービスであると認識された場合には、第２無線部４を選択する（ステップＳ６）。
【００２０】
そして、主制御部１１は選択した第１無線部２又は第２無線部４を制御して所定の通信プロトコルに従って第１無線基地局Ｂ又は第２無線基地局Ｃとの無線接続を開始させると共に、操作部８によって入力されたメモリ番号に基づき記憶部１０から読み出された電話番号データ又は操作部８によって入力された電話番号データに基づいてダイヤル発信を行う（ステップＳ７）。
【００２１】
そして、主制御部１１はダイヤル発信が成功したか否か判断し（ステップＳ８）、成功していないと判断した場合には、表示部９を制御して通信方式の選択を要求するメッセージを表示させる等して通信方式を選択させ（ステップＳ３）、その手動選択された通信方式に基づいてダイヤル発信を行う上述の動作制御（ステップＳ４〜Ｓ８）を実行し、又成功したと判断した場合には、通信動作に移行して通信開始動作を終了する。
【００２２】
従って、上記動作制御によれば、電話帳データを登録するときに、電話番号に対応させて通信方式を記憶させることにより、この電話帳データに登録された電話番号を用いてダイヤル発信を行うとき、自動的に最適の通信方式によって通信を開始することができると共に、電話帳データに通信方式が記憶されていないとき、又は電話帳データに記憶された通信方式を用いたダイヤル発信が成功しなかったときに、手動により選択される任意の通信方式によって通信を開始することができる。
【００２３】
尚、上記動作制御では、電話帳データに電話番号に対応する通信方式が記憶されているとき、この通信方式を用いて通信を開始させ、通信が開始できなかったときに、手動により通信方式を選択させるようにしたが、これに限定されるものではなく、通信方式の位置登録状況等を考慮し、電話番号に対応して記憶された通信方式を用いて通信を開始することができるか否かを判断し、通信を開始することができると判断されたときに、この通信方式を用いて通信を開始させ、又通信を開始することができないと判断されたときに、手動により通信方式を選択させるようにしても良い。
【００２４】
次に、通信開始時の動作の他の例を図２（ｂ）に示す説明図、及び図４に示すフローチャートに基づいて説明する。
【００２５】
使用者による操作部８を用いた入力操作によって、図２（ｂ）に示すように、メモリ番号と電話番号と第１通信方式と第２通信方式が対になる電話帳データが記憶部１０に記憶されている状態において、使用者による操作部８を用いた入力操作によってメモリ番号又は電話番号が入力されると共に発信指示が行われると（ステップＳ１１）、主制御部１１は操作部８によって入力されたメモリ番号又は電話番号に対応する第１通信方式が記憶部１０に記憶されているか否か判断し（ステップＳ１２）、記憶されていないと判断された場合において表示部９を制御して通信方式の選択を要求するメッセージを表示させる等して通信方式を選択させる（ステップＳ１３）。
【００２６】
そして、主制御部１１は手動選択された通信方式又は記憶部１０に記憶されていた第１通信方式を認識し（ステップＳ１４）、公衆ＰＨＳサービスであると認識された場合には、第１無線部２を選択し（ステップＳ１５）、又事業所内サービスであると認識された場合には、第２無線部４を選択する（ステップＳ１６）。
【００２７】
そして、主制御部１１は選択した第１無線部２又は第２無線部４を制御して所定の通信プロトコルに従って第１無線基地局Ｂ又は第２無線基地局Ｃとの無線接続を開始させると共に、操作部８によって入力されたメモリ番号に基づき記憶部１０から読み出された電話番号データ又は操作部８によって入力された電話番号データに基づいてダイヤル発信を行う（ステップＳ１７）。
【００２８】
そして、主制御部１１はダイヤル発信が成功したか否か判断し（ステップＳ１８）、成功したと判断した場合には、通信動作に移行して通信開始動作を終了し、又成功していないと判断した場合には、操作部８によって入力されたメモリ番号又は電話番号に対応する第２通信方式が記憶部１０に記憶されているか否か判断し（ステップＳ１９）、記憶されていないと判断された場合において表示部９を制御して通信方式の選択を要求するメッセージを表示させる等して通信方式を選択させる（ステップＳ２０）。
【００２９】
そして、主制御部１１は手動選択された通信方式又は記憶部１０に記憶されていた第１通信方式を認識し（ステップＳ２１）、公衆ＰＨＳサービスであると認識された場合には、第１無線部２を選択し（ステップＳ２２）、又事業所内サービスであると認識された場合には、第２無線部４を選択する（ステップＳ２３）。
【００３０】
そして、主制御部１１は選択した第１無線部２又は第２無線部４を制御して所定の通信プロトコルに従って第１無線基地局Ｂ又は第２無線基地局Ｃとの無線接続を開始させると共に、操作部８によって入力されたメモリ番号に基づき記憶部１０から読み出された電話番号データ又は操作部８によって入力された電話番号データに基づいてダイヤル発信を行う（ステップＳ２４）。
【００３１】
そして、主制御部１１はダイヤル発信が成功したか否か判断し（ステップＳ２５）、成功していないと判断した場合には、表示部９を制御して通信方式の選択を要求するメッセージを表示させる等して通信方式を選択させ（ステップＳ２０）、その手動選択された通信方式に基づいてダイヤル発信を行う上述の動作制御（ステップＳ２１〜Ｓ２５）を実行し、又成功したと判断した場合には、通信動作に移行して通信開始動作を終了する。
【００３２】
従って、上記動作制御によれば、電話帳データを登録するときに、電話番号に対応させて通信方式を優先順位を付けて複数記憶させることにより、この電話帳データに登録された電話番号を用いてダイヤル発信を行うとき、優先順位に基づいて自動的に最適の通信方式を選択して通信を開始することができると共に、電話帳データに１つ又は複数の通信方式が記憶されていないとき、又は電話帳データに記憶された通信方式を用いたダイヤル発信が成功しなかったときに、手動により選択される任意の通信方式によって通信を開始することができる。
【００３３】
尚、上記動作制御では、電話帳データに電話番号に対応する第１通信方式及び第２通信方式が記憶されているとき、この第１通信方式を用いて通信を開始させ、通信が開始できなかったときに、第２通信方式を用いて通信を開始させ、通信が開始できなかったときに、手動により通信方式を選択させるようにしたが、これに限定されるものではなく、通信方式の位置登録状況等を考慮し、電話番号に対応して記憶された第１通信方式又は第２通信方式を用いて通信を開始することができるか否かを判断し、第１通信方式によって通信を開始することができると判断されたときに、この第１通信方式を用いて通信を開始させ、又第１通信方式によって通信を開始することができず第２通信方式によって通信を開始することができると判断されたときに、この第２通信方式を用いて通信を開始させ、更に第１通信方式及び第２通信方式によって通信を開始することができないと判断されたときに、手動により通信方式を選択させるようにしても良い。
【００３４】
又、上記実施の形態では、本発明の通信開始方法を実行する通信装置として、公衆ＰＨＳサービスと事業所内サービスとに接続可能な携帯電話機について説明したが、これに限定されるものではなく、例えば、公衆ＰＨＳサービスと携帯電話サービスとに接続可能なデュアル型の携帯電話機や３つ以上の通信方式を用いた通信が可能な通信装置等についても同様に適用できることは言うまでもない。
【００３５】
更に、上記実施の形態では、主制御部１１を構成するＲＯＭに予め格納された制御プログラムに基づいて上述の動作制御を実行するようにしたが、これに限定されるものではなく、例えば、上述の動作制御を実行させるための制御プログラムをＣＤ−ＲＯＭ等の記録媒体に記録し、この記録媒体から読み取られた制御プログラムに従って上述の動作制御を実行させるようにしたり、上述の動作制御を実行させるための制御プログラムを通信ネットワークに流し、この通信ネットワークから受信した制御プログラムを格納し、この格納した制御プログラムに従って上述の動作制御を実行させるようにしても良い。
【図面の簡単な説明】
【００３６】
【図１】本発明の通信開始方法を実行する通信装置の一実施の形態である携帯電話機の電気的構成を示すブロック図である。
【図２】同携帯電話機における電話帳のデータ構成を示す説明図であり、（ａ）は一例を（ｂ）は他の例をそれぞれ示す。
【図３】同携帯電話機における通信開始時の動作制御の一例を示すフローチャートである。
【図４】同携帯電話機における通信開始時の動作制御の他の例を示すフローチャートである。
【符号の説明】
【００３７】
１，３  アンテナ、２  第１無線部、４  第２無線部、５  通話制御部、６  マイク、７  スピーカ、８  操作部、９  表示部、１０  記憶部、１１  主制御部。
【図１】
2005057759.tif 000003
【図２】
2005057759.tif 000004
【図３】
2005057759.tif 000005
【図４】
2005057759.tif 000006